(57)【要約】【課題】柄部を直立状態を保持することができる清掃具を提供する。【解決手段】連結部７はヘッド部３に対して柄部２が垂直にした状態でのみ、上下に摺動可能な構造であり、ヘッド部３に対して垂直にした柄部２を真下に移動させると、ロック条部７ｉが縦溝部５ｄ内に嵌合し、連結部７及び取付部５との回動をロックする。同時に、固定環７ｂから突出したロック板部は、係合筒部６の下端中央の切込部６ｄに押し込まれて、連結部７及び係合筒部６との回動をロックする。このようにそれぞれを回動不能にロックすることで、柄部２がヘッド部３に対する垂直状態を維持したまま固定されることになる。このロックを解除する場合は、柄部２を真上に引き抜くことで、各ロックは解除される。【選択図】図６
2019037368.tif 000002
【特許請求の範囲】
【請求項１】
棒状の柄部と、該柄部の先端に取り付けたヘッド部と、前記柄部と前記ヘッド部とを連結する継手部とから成る清掃具であって、
前記継手部は、前記ヘッド部の表面中央に設けた取付部と、前記柄部と係合可能な係合筒部と、前記取付部と前記係合筒部との間に組み込まれる連結部とから構成され、
前記連結部の一端側は前記取付部に、他端側は前記係合筒部にそれぞれ回動可能に取り付けられており、
前記連結部は前記ヘッド部に対して、前記柄部が垂直の場合にのみ前記取付部に対して上下に摺動可能であり、
前記連結部が下方に移動することで、前記連結部及び前記取付部と、前記連結部及び前記係合筒部とがそれぞれ回動不能にロックされ、前記柄部が前記ヘッド部に対して垂直状態を維持したまま固定されることを特徴とする清掃具。
【請求項２】
前記係合筒部は下端中央の切込部を有し、
前記取付部は所定の間隔を空けて起立した一対の起立片と、該起立片間の穴部と、該穴部の底部から立設する凸部と備え、
前記連結部は内部に上下に摺動可能なロック片を内蔵し、
該ロック片はロック板部と、該ロック板部の下端に連続した底部を備え、
前記連結部が下方に移動した際に、前記凸部により前記底部が押し上げられて、上方へ突出した前記ロック板部が前記切込部に押し込まれることで、前記連結部及び前記係合筒部が回動不能にロックされることを特徴とする請求項１に記載の清掃具。
【請求項３】
前記連結部は外側面に一対のロック条部が設けられており、
板状の前記起立片の対向する内側の中央上端には、縦溝部が設けられており、
前記連結部が下方に移動した際に、前記ロック条部が前記縦溝部内に押し込まれることで、前記連結部及び前記取付部が回動不能にロックされることを特徴とする請求項２に記載の清掃具。
【請求項４】
前記連結部は、前記係合筒部に回動可能に固定する回動片部と、該回動片部の下端側に嵌め込むことで一体化する固定環と、該固定環の内部に上下方向に摺動可能に固定されるロック片とから構成されることを特徴とする請求項２又は３に記載の清掃具。
【請求項５】
筒状体である前記固定環は、下端に筒軸方向と平行する切欠部と、上端の筒側面であって筒軸方向と直交する挿入孔部と、前記切欠部と前記挿入孔部との間の筒内壁面にあって筒軸方向に沿う固定条部とを有し、
前記挿入孔部に前記ロック板部を挿通した状態で、前記ロック片を上下に摺動可能としたことを特徴とする請求項４に記載の清掃具。
【請求項６】
前記ロック片の前記ロック板部と前記底部との横幅の段差により、前記ロック板部の両端が前記固定条部に引っ掛かかることで、前記固定環の内部に前記ロック片が上下方向に摺動可能に固定されることを特徴とする請求項５に記載の清掃具。
【請求項７】
前記ヘッド部の表面の四隅には鋸歯状の破断部が形成されており、清掃シートの端部を前記破断部に押し込むことで、前記清掃シートを前記ヘッド部に固定することを特徴とする請求項１〜６の何れか１項に記載の清掃具。
【請求項８】
前記ヘッド部の一方側の表面には鋸歯状の破断部が形成されており、
前記ヘッド部の他方側にはヘッド部の長手方向に沿って、左右を反転することが可能な回転固定部が取り付けられており、
前記回転固定部の外側面に、一対の鋸歯状の縦破断部が設けられており、
清掃シートの端辺部を前記破断部及び前記縦破断部に押し込むことで、前記清掃シートを前記ヘッド部に固定することを特徴とする請求項１〜６の何れか１項に記載の清掃具。
【発明の詳細な説明】
【技術分野】
【０００１】
本発明は、清掃シートを装着し、床面や隙間に溜まった塵埃の拭き取りを行う清掃具に関するものである。
【背景技術】
【０００２】
特許文献１には、モップヘッド上側中央部に対して、柄体が平面視における３６０度の何れの向きであっても、柄体が水平の０度から垂直の９０度の任意の角度で自在に伏倒し、起立させることが可能な清掃具が開示されている。
【０００３】
このような任意の角度で柄体が伏倒、起立することが可能な清掃具を用いることで、机の下等の高さの制限された場所や、家具と壁の間の狭い隙間等に、モップヘッドを入れることができ、隅々まで掃除を行うことができる。
【先行技術文献】
【特許文献】
【０００４】
【特許文献１】特開２０１６−１１２７３４号公報
【発明の概要】
【発明が解決しようとする課題】
【０００５】
しかし、この特許文献１に記載の清掃用具では、保管する際に壁の隅やクローゼット内に柄体を立て掛けたり、壁等に設けたフック部に、柄部先端に設けた孔部を引っ掛けたりして保管する必要がある。
【０００６】
また、壁等の柄体を立て掛ける場所がない場合は、柄体を床に寝かした状態で保管する必要があり、無駄に保管場所を占有してしまう。また、立て掛けていた壁等から柄体が徐々に滑ってゆき、清掃用具が倒れることも度々ある。
【０００７】
本発明の目的は、上述の課題を解消し、柄部が平面視における３６０度の何れの向きにおいても、０度〜９０度の任意の角度で自在に伏倒、起立することが可能であって、必要に応じて柄部を直立状態を保持することができる清掃具を提供することにある。
【課題を解決するための手段】
【０００８】
上記目的を達成するための本発明に係る清掃具は、棒状の柄部と、該柄部の先端に取り付けたヘッド部と、前記柄部と前記ヘッド部とを連結する継手部とから成る清掃具であって、前記継手部は、前記ヘッド部の表面中央に設けた取付部と、前記柄部と係合可能な係合筒部と、前記取付部と前記係合筒部との間に組み込まれる連結部とから構成され、前記連結部の一端側は前記取付部に、他端側は前記係合筒部にそれぞれ回動可能に取り付けられており、前記連結部は前記ヘッド部に対して、前記柄部が垂直の場合にのみ前記取付部に対して上下に摺動可能であり、前記連結部が下方に移動することで、前記連結部及び前記取付部と、前記連結部及び前記係合筒部とがそれぞれ回動不能にロックされ、前記柄部が前記ヘッド部に対して垂直状態を維持したまま固定されることを特徴とする。
【発明の効果】
【０００９】
本発明に係る清掃具によれば、水平状態にしたヘッド部に対して、柄部を直立状態で保管することができ、直立状態を保持することで、壁等の立て掛ける場所のないところであっても、大きな保管場所を必要とすることなく保管することができる。
【図面の簡単な説明】
【００１０】
【図１】実施例１の清掃具の斜視図である。
【図２】継手部を分解した状態の清掃具の分解斜視図である。
【図３】継手部のロックを解除している状態の清掃具の斜視図である。
【図４】正面断面図である。
【図５】側面断面図である。
【図６】継手部をロックしている状態の清掃具の斜視図である。
【図７】正面断面図である。
【図８】側面断面図である。
【図９】実施例２の継手部をロックしている状態の清掃具の斜視図である。
【発明を実施するための形態】
【００１１】
本発明を図示の実施例に基づいて詳細に説明する。
図１は実施例１の清掃具１の斜視図、図２は継手部を分解した状態の清掃具１の分解斜視図である。
【実施例１】
【００１２】
清掃具１は、棒状の柄部２と、この柄部２の先端に取り付けたヘッド部３と、柄部２とヘッド部３とを連結する継手部４とから構成されている。そして、柄部２はヘッド部３に対して継手部４を介して、平面視における３６０度の何れの向きにも回転でき、その角度において柄部２を０度〜９０度の任意の角度、つまり柄部２を任意の方向に伏倒、起立させることが可能とされている。
【００１３】
図１においては、一部の図示を省略しているが、柄部２の長さは例えば１．５ｍ程度であり、柄部２は、アルミニウム等の軽量の金属や硬質の合成樹脂等の筒体から成る柄基体部２ａと、柄基体部２ａの上端に取り付けたゴム等の滑り難い素材から成る把持部２ｂとから構成されている。なお、把持部２ｂは硬質の合成樹脂又は軟質の合成樹脂とし、表面に凹凸加工等の滑り止め加工を施したものであってもよい。
【００１４】
柄基体部２ａの下端は、継手部４の後述する係合筒部に取り外し自在に嵌合する挿込部２ｃとされており、この挿込部２ｃには固定に用いる突起２ｄが設けられている。
【００１５】
ヘッド部３の大きさは、例えば横幅２５ｃｍ、縦幅８ｃｍ、高さ３ｃｍ程度であり、ヘッド部３は、硬質の合成樹脂材から成る矩形状の基体部３ａと、この基体部３ａの底面を覆うように接着した発泡ＥＶＡ、ウレタン樹脂等の柔軟性、弾発性を有する合成樹脂材から成る摺掃部３ｂとから構成されている。
【００１６】
基体部３ａの表面の四隅には係止穴部３ｃが設けられており、これらの係止穴部３ｃには、柔軟な合成樹脂から成るシート状の薄肉部３ｄが取り付けられていて、薄肉部３ｄには鋸歯状の破断部３ｅが形成されている。図示しない不織布等から成る清掃シートの一方の端辺部を、基体部３ａの一方側の一対の破断部３ｅに押し込んで、摺掃部３ｂの下面を覆うように半周した後に、清掃シートの他方の端辺部を、基体部３ａの他方側の一対の破断部３ｅに押し込むことで、清掃シートを基体部３ａの下面に固定することができる。
【００１７】
基体部３ａの表面の中央には、柄部２をヘッド部３に対して回転回動させるための継手部４が構設されており、継手部４は硬質の合成樹脂等から形成されている。この継手部４は、基体部３ａの表面中央に設けた基体部３ａと一体の取付部５と、挿込部２ｃと連結可能な係合筒部６と、取付部５と係合筒部６との間に組み込まれる連結部７とから構成されている。
【００１８】
取付部５は、所定の間隔を設けて起立した一対の半円状の起立片５ａと、起立片５ａ間の矩形状に凹んだ穴部５ｂと、この穴部５ｂの底部から上方に立設された凸部５ｃとから構成されている。板状の起立片５ａの対向する内側の中央上端には、縦溝部５ｄが設けられており、この縦溝部５ｄの下方の起立片５ａの内側には、縦溝部５ｄの溝幅よりも十分に幅広の主溝部５ｅが形成されている。
【００１９】
係合筒部６は、上端に挿込部２ｃを挿入する挿入口６ａと、側面に設けられ挿込部２ｃの突起２ｄが嵌入する係合孔部６ｂと、下端の両側に一対の円板状の回動部６ｃとを備えている。そして、一対の回動部６ｃは、下端中央に設けられた切込部６ｄと、回動部６ｃの対向する内側面の中央からそれぞれ円板状に突出し、回動部６ｃよりも小さな径の突円部６ｅとを備えている。
【００２０】
連結部７は、回動部６ｃ間の突円部６ｅの周囲に回動可能に固定される回動片部７ａと、この回動片部７ａの下端側に嵌め込んで固定する断面Ｃ字状の固定環７ｂと、この固定環７ｂの内部に上下方向に摺動可能に固定されるロック片７ｃとから構成されている。
【００２１】
回動片部７ａは、一対の対向する円板状の円板部７ｄと、これらの円板部７ｄを上方において連結する逆Ｕ字状のアーム部７ｅとを備えている。そして、円板部７ｄの外側には、取付部５の一対の起立片５ａの内側の主溝部５ｅにそれぞれ係合する外凸部７ｆが設けられ、円板部７ｄの対向する内側には、短円柱状の内凸部７ｇがそれぞれ設けられている。
【００２２】
なお、外凸部７ｆは実施例では十字柱形状とされているが、円柱状であってもよい。また、外凸部７ｆの上方であって回動片部７ａの外側面の上下方向には、条片状のロック条部７ｉが設けられている。このロック条部７ｉの幅は起立片５ａの縦溝部５ｄの溝幅と略一致し、外凸部７ｆの横幅は縦溝部５ｄの溝幅よりも大きく、起立片５ａの主溝部５ｅ内に入り込む大きさとされている。
【００２３】
内凸部７ｇの中央には、内凸部７ｇを水平方向に横切るように線状の横溝部７ｈが設けられているが、横溝部７ｈに代えて、一対の切欠部による横溝部を左右対称に配置するようにしてもよい。
【００２４】
断面Ｃ字状の筒状体を横にした固定環７ｂは、下端に筒軸方向と平行して設けた切欠部７ｊと、上端の筒側面にあって筒軸方向と直交する挿入孔部７ｋと、切欠部７ｊと挿入孔部７ｋとの間の筒内壁面の両側には、筒軸方向に沿う一対の固定条部７ｌとを備えている。
【００２５】
固定環７ｂ内に配置するロック片７ｃは、板状のロック板部７ｍと、このロック板部７ｍの下端に連続し、横幅がロック板部７ｍよりも幅が狭く、穴部５ｂ内の凸部５ｃに接する底部７ｎとを備えている。
【００２６】
清掃具１は、先ず連結部７を組立てた後に、組み立てた連結部７を取付部５及び係合筒部６に取り付けて、継手部４とヘッド部３とを連結した状態に組み立てる。次に、継手部４に柄部２を連結することで清掃具１の組立ては完了する。
【００２７】
図３〜図８は継手部４を組立てた後の清掃具１を示し、図３は継手部４のロックを解除している状態の斜視図、図４は正面断面図、図５は側面断面図であり、図６は継手部４をロックしている状態の清掃具１の斜視図、図７は正面断面図、図８は側面断面図である。
【００２８】
上述の清掃具１の組立手順を詳しく説明すると、先ず固定環７ｂの挿入孔部７ｋに、ロック片７ｃのロック板部７ｍを固定環７ｂの斜め下方から切欠部７ｊを利用して挿入し、固定環７ｂ内に底部７ｎが収まるように固定する。
【００２９】
なお、図５に示すように、ロック板部７ｍと底部７ｎとの横幅の段差により、ロック板部７ｍの両端が固定条部７ｌに引っ掛かるため、切欠部７ｊからロック片７ｃが落下することはない。
【００３０】
また、固定環７ｂの直径とロック片７ｃの高さは略一致しており、切欠部７ｊを通して下方から底部７ｎを押し上げない限り、ロック板部７ｍが挿入孔部７ｋから突出することはない。
【００３１】
続いて、挿入孔部７ｋにロック板部７ｍを挿通した状態で、内部にロック片７ｃを上下に摺動可能に挿入した固定環７ｂを、回動片部７ａの一対の円板部７ｄ間に取り付ける。
【００３２】
この取り付け作業は、一対の円板部７ｄを一時的に左右に拡開した状態にして、固定環７ｂを円板部７ｄ間に押し込んで固定する。この際に、固定環７ｂのＣ字状の筒断面が回動片部７ａの内凸部７ｇに嵌合すると同時に、内凸部７ｇの横溝部７ｈの両側に固定環７ｂの固定条部７ｌが嵌り込む。このように、横溝部７ｈの両側に固定条部７ｌが嵌り込むことで、固定環７ｂは回動片部７ａに対し回動することなく回動片部７ａと一体化され、連結部７の組立ては完成する。
【００３３】
このようにして、組立てた連結部７を取付部５に取り付ける際には、取付部５の一対の起立片５ａを一時的に左右に拡開した状態にして、回動片部７ａの円板部７ｄを起立片５ａ間に押し込む。
【００３４】
この際に、取付部５の主溝部５ｅに円板部７ｄの外凸部７ｆが嵌合することで、円筒状の固定環７ｂがヘッド部３の長手方向を軸として回動自在に軸支される。つまり、係合筒部６はヘッド部３に対して、図３の点線で示す軸線Ａ１を中心に矢印Ａ２の方向に１８０度、自在に回動することが可能となる。
【００３５】
なお、ロック条部７ｉは起立片５ａの外周に沿って移動するが、連結部７がヘッド部３に対して垂直方向の場合にのみ、ロック条部７ｉは縦溝部５ｄ内を摺動させることが可能である。
【００３６】
続いて、連結部７を係合筒部６に取り付ける際には、係合筒部６の円板状の一対の回動部６ｃを一時的に左右に拡開した状態にして、回動片部７ａのアーム部７ｅを回動部６ｃ間の突円部６ｅ上に押し込んで固定する。
【００３７】
最後に、挿入口６ａに柄部２の挿込部２ｃを挿入し、係合孔部６ｂに挿込部２ｃの突起２ｄを嵌合し、柄部２と継手部４とを連結する。また、突起２ｄを外側から押し込むことにより、柄部２を継手部４から取り外すことができる。
【００３８】
このように、係合筒部６の突円部６ｅにアーム部７ｅを嵌合させることで、回動片部７ａがヘッド部３の短手方向を軸として回動自在に軸支される。つまり、係合筒部６はヘッド部３に対して、図３の点線で示す軸線Ｂ１を中心に矢印Ｂ２の方向に、突円部６ｅを中心として１８０度、自在に回転可能となる。
【００３９】
継手部４のロックを解除した状態の通常の使用時での清掃具１は、図３に示すように、矢印Ａ２、Ｂ２の方向をそれぞれ０〜１８０度の任意の角度で回動することができるので、図１に示す柄部２を任意の方向、角度で伏倒、起立することが可能となる。従って、机の下等の高さの制限された場所や、家具と壁の間の狭い隙間等に、ヘッド部３を挿入して、清掃シートにより隅々まで掃除を行うことができる。
【００４０】
清掃具１による掃除が完了し、清掃具１を保管する場合には、継手部４をロックして柄部２が回動しないようにする。ロックの手順は、先ずヘッド部３に対して垂直にした柄部２を真下に移動させる。連結部７はヘッド部３に対して柄部２が垂直にした状態でのみ、上下に摺動可能な構造であるので、柄部２を真下に移動させると、ロック条部７ｉが縦溝部５ｄ内に押し込まれることになる。
【００４１】
そして、回動片部７ａの円板部７ｄの下端が、取付部５の穴部５ｂの凸部５ｃに当接し、ロック条部７ｉが縦溝部５ｄ内に嵌合することで、図３に示す軸線Ａ１を中心に矢印Ａ２の方向の回動はロックされることになる。
【００４２】
同時に、ヘッド部３に対して垂直にした柄部２を真下に押圧すると、穴部５ｂの底部の凸部５ｃの先端が固定環７ｂの切欠部７ｊ内に進入する。そして、進入した凸部５ｃの先端により、ロック片７ｃの底部７ｎが押し上げられて、ロック片７ｃのロック板部７ｍが、挿入孔部７ｋから上方に突出する。
【００４３】
このように固定環７ｂから突出したロック板部７ｍは、係合筒部６の回動部６ｃの下端中央の切込部６ｄに押し込まれて固定される。この固定により、ヘッド部３の短手方向を軸とする図３に示す軸線Ｂ１を中心に矢印Ｂ２の方向の回動はロックされる。
【００４４】
このようにして、連結部７の一端側は取付部５に、他端側は係合筒部６に回動可能に取り付けられた状態をそれぞれ回動不能にロックすることで、図１に示すように、柄部２がヘッド部３に対する垂直状態を維持したまま固定されることになる。このロックを解除する場合は、柄部２を真上に引き抜くことで、各ロックは解除され、再び柄部２をヘッド部３に対して任意の方向、角度に伏倒、起立させることが可能となる。
【００４５】
なお、清掃具１の使用に際しては、図示しない市販の横３０ｃｍ、縦２０ｃｍ、厚み０．５ｍｍ程度の不織布から成る清掃シートを使用し、この清掃シートの端部を四隅の破断部３ｅに指で押し込んで、清掃シートを摺掃部３ｂの下面を覆うようにして固定する。
【００４６】
清掃シートの端部を基体部３ａの表面の四隅の破断部３ｅに押し込むことで、清掃シートが破断部３ｅに強固に挟み込み、清掃シートがヘッド部３から容易に外れなくなる。
【００４７】
清掃シートに十分な塵芥が付着すると、清掃シートを取り外して、清掃シートの表裏を反転して、再度取り付けて清掃する。清掃シートの両面に十分な塵芥が付着した後に、この清掃シートは破棄し、新しい清掃シートをヘッド部３に取り付ける。
【実施例２】
【００４８】
図９は実施例２の清掃具１’の拡大斜視図であり、実施例１と同一の符号は同一の部材を示している。
【００４９】
清掃具１’の基体部３ａの表面の一方側には、実施例１の清掃具１同様に一対の破断部３ｅ設けられており、清掃具１’の基体部３ａの他方側にヘッド部３の長手方向に沿って回転固定部３ｆが取り付けられている。
【００５０】
回転固定部３ｆは、図９の点線で示す軸線Ｃ１を中心に矢印Ｃ２の方向に回動する回転軸を有し、左右を反転することが可能である。そして、回転固定部３ｆの回転軸の左右の外側面に、一対の鋸歯状の縦破断部３ｇが設けられている。
【００５１】
清掃具１’の使用に際しては、実施例１と同様の不織布から成る清掃シートを使用し、この清掃シートの一方の端辺部を、縦破断部３ｇに拡開しながら指で押し込んた後に、清掃シートを摺掃部３ｂの下面を覆うようにして、清掃シートの他方の辺部を反対側の基体部３ａの破断部３ｅに指で押し込んで固定する。
【００５２】
清掃シートに十分な塵芥を付着させた後に、清掃シートの他方の端辺部を破断部３ｅから引き抜き、縦破断部３ｇに清掃シートが保持された状態で回転固定部３ｆを回転軸を中心に１８０度回転させる。
【００５３】
このように、回転固定部３ｆを１８０度回転させることで、清掃シートの表裏が反転するので、清掃シートを摺掃部３ｂの下面を覆うようにして他方の端辺部を再度、破断部３ｅに固定することで、清掃シートを容易に表裏を反転させてヘッド部３に取付けることが可能となる。
【００５４】
このように実施例１、２の清掃具１、１’によれば、水平状態にしたヘッド部３に対して、柄部２を直立状態で保管することができ、直立状態を保持することで、壁等の立て掛ける場所のないところであっても、大きな保管場所を必要とすることなく清掃具１、１’を保管することができる。
【符号の説明】
【００５５】
１、１’  清掃具
２  柄部
３  ヘッド部
３ｃ  係止穴部
３ｅ  破断部
３ｆ  回転固定部
３ｇ  縦破断部
４  継手部
５  取付部
５ａ  起立片
５ｂ  穴部
５ｃ  凸部
５ｄ  縦溝部
６  係合筒部
６ｄ  切込部
７  連結部
７ａ  回動片部
７ｂ  固定環
７ｃ  ロック片
７ｉ  ロック条部
７ｊ  切欠部
７ｋ  挿入孔部
７ｌ  固定条部
７ｍ  ロック板部
７ｎ  底部
【図１】
2019037368.tif 000003
【図２】
2019037368.tif 000004
【図３】
2019037368.tif 000005
【図４】
2019037368.tif 000006
【図５】
2019037368.tif 000007
【図６】
2019037368.tif 000008
【図７】
2019037368.tif 000009
【図８】
2019037368.tif 000010
【図９】
2019037368.tif 000011